(57)【要約】【課題】ベッドフレームのサイド部材に側柵を確実に取付けることができるようにしたベッド装置を提供すること。【解決手段】サイド部材２の上面と下面にそれぞれ位置する第１の係合部２４を有する内側ブラケット２３と、サイド部材の幅方向に沿って移動可能に設けられ、サイド部材の幅方向に移動すると第１の係合部に係合する第２の係合部２８、サイド部材から内側ブラケットの上面と下面に向かって延出された上下一対の延長部２７、及びサイド部材の外面側に位置する部分の上面に開口して形成された側柵を支持する支持部を有する外側ブラケット２６と、外側ブラケットをサイド部材の幅方向に駆動して第１の係合部に第２の係合部を係合させて外側ブラケットをサイド部材に移動不能に固定する操作手段３４を具備する。【選択図】  図４
2019208948.tif 000002
【特許請求の範囲】
【請求項１】
ベッドフレームを有し、このベッドフレームの幅方向の端部に位置するサイド部材を介して側柵が取付けられるベッド装置であって、
ベッドフレームの幅方向と同方向である、前記サイド部材の幅方向の内面側に設けられ前記サイド部材の上面と下面にそれぞれ位置する第１の係合部を有する内側ブラケットと、
前記サイド部材の幅方向の外面側にこのサイド部材の幅方向に沿って移動可能に設けられ、前記サイド部材の上面と下面にそれぞれ位置し前記幅方向に移動することで前記第１の係合部に係合する第２の係合部、前記サイド部材の上面と下面からそれぞれ前記内側ブラケットの上面と下面に向かって延出された上下一対の延長部、及び前記サイド部材の外面側に位置する部分の上面に開口して形成された前記側柵を支持する支持部を有する外側ブラケットと、
前記サイド部材の幅方向の内面側に位置する一対の前記延長部を介して設けられその操作によって前記外側ブラケットを前記サイド部材の幅方向に駆動して前記第１の係合部に前記第２の係合部を係合させて前記外側ブラケットを前記サイド部材に移動不能に固定する操作手段と
を具備したことを特徴とするベッド装置。
【請求項２】
前記操作手段は、
一対の前記延長部の前記サイド部材の幅方向の内面側に突出した先端部に着脱可能に支持された伝動部材と、
前記サイド部材の内面側に軸方向を前記伝動部材と交差させて回転可能かつ軸方向に移動不能に設けられて先端部を前記伝動部材に螺合させたねじ部材を有し、
前記ねじ部材を回転されることで、前記伝動部材を介して前記外側ブラケットを前記サイド部材の幅方向内方に駆動して前記第１の係合部に前記第２の係合部を係合させ、前記外側ブラケットを前記サイド部材の幅方向及び長手方向に対して移動不能に保持する構成であることを特徴とする請求項１記載のベッド装置。
【請求項３】
前記側柵は所定間隔で離間した一対の前記外側ブラケットの前記支持部に支持されるようになっていて、一対の前記外側ブラケットは、前記側柵の幅寸法に対応する間隔で連結部材によって連結されていることを特徴とする請求項１又は請求項２記載のベッド装置。
【請求項４】
一対の前記外側ブラケット及びこれら外側ブラケットを連結した前記連結部材は、前面が前記ベッドフレームの幅方向内方に向かって凹んだ凹状部に形成されたカバーによって覆われていることを特徴とする請求項３記載のベッド装置。
【請求項５】
ベッドフレームを有し、このベッドフレームの幅方向の端部に位置するサイド部材を介して側柵が取付けられるベッド装置であって、
前記サイド部材の内面側に設けられ前記サイド部材の上面と下面にそれぞれ位置する第１の係合部を有する内側ブラケットと、
前記第１の係合部に係合する第２の係合部、前記サイド部材の上面と下面から前記内側ブラケットの上面と下面に向かって延出された上下一対の延長部、及び前記サイド部材の外面側に位置する部分の上面に開口して形成された前記側柵を支持する支持部を有する外側ブラケットと、
前記サイド部材の内面側に設けられその操作によって前記内側ブラケットの前記第１の係合部と前記外側ブラケットの前記第２の係合部を係合させて前記外側ブラケットを前記サイド部材に移動不能に固定する操作手段と
を具備したことを特徴とするベッド装置。
【発明の詳細な説明】
【技術分野】
【０００１】
この発明はベッドフレームの側部に側柵を着脱可能に取付けることができるベッド装置に関する。
【背景技術】
【０００２】
たとえば病院などで用いられるベッド装置には、利用者に掛けた掛け布団がベッド装置からずれ落ちるのを防止したり、利用者がマットレス上から降りる際に立ち上がったり、立ち上がって歩行するときにつかまるためなどに利用する側柵を、前記ベッド装置のベッドフレームの幅方向の側部に着脱可能に設けるようにしている。
【０００３】
ベッドフレームの幅方向の側部に側柵を取付ける取付け構造としては特許文献１や特許文献２に示されるものが知られている。
【０００４】
特許文献１では、取付補助枠の両端側に、一対の取付具を、前記取付補助枠の長手方向に直交する軸を中心として、ねじりばねの付勢力下に揺動可能に保持する構成とする。一対の前記取付具には、それぞれ側柵保持具を有する下受け具と、断面Ｌ字型の上受け具とが一体に設けられ、ベッド装置のサイドフレームの長手方向に互いにずれように設定されている。さらに、前記取付具には側柵の下端部が挿入支持される取付け穴が形成されている。
【０００５】
それによって、前記取付具に下受け具と上受け具とが一体的に形成されていても、前記取付具を取付補助枠に対して揺動させることで、サイドフレームに取付けることができるようにしている。
【０００６】
特許文献２では、上部材と下部材の一端が回動可能に連結され、止めねじによってこれら部材は接合した状態で固定できるようになっている。前記上部材と下部材の接合する一端部分には、これら部材を前記止めねじによって固定することで、ベッドフレームの側部材を挟持する凹部が形成されている。
【０００７】
さらに、前記上部材の前端部には側柵の下端部が挿入支持される支持孔が形成された回動部材が設けられていて、これらの部材によって支持装置を構成している。
【先行技術文献】
【特許文献】
【０００８】
【特許文献１】特開２０００−１６６７０５号公報
【特許文献２】特開平９−１３１２４２号公報
【発明の概要】
【発明が解決しようとする課題】
【０００９】
特許文献１に示された構造によると、一対の取付具は取付補助枠に対してねじりばねの付勢力によって揺動可能に保持されているだけである。
【００１０】
そのため、前記側柵保持具に支持された側柵に利用者がつかまるなどして前記取付具に外力が加わった場合、前記ねじりばねが復元力に抗して弾性変形し易いため、前記取付具がサイドフレームに対してずれ動き易いということがある。
【００１１】
それによって、利用者がベッド装置から起き上がるときや、側柵につかまって伝い歩きするときなどに姿勢が維持し難くいため、不安定になるということがある。  
【００１２】
さらに、前記取付補助枠や取付具の大部分はサイドフレームの外側、つまり外部に露出して設けられる。そのため、ベッド装置の外観を低下させたり、ベッド装置の側方を歩行したり、車椅子で近付いたときなどにぶつかり易いなどのことがある。
【００１３】
特許文献２に記載された構造によると、一端が回動可能に連結された上部材と下部材は、これらの一端部に形成された凹部によってベッドフレームの側部材を挟持し、その状態で前記各部材の他端部側に設けられた止めねじによって固定されるようになっている。前記止めねじは前記側部材の外方、つまりベッドフレームの外部に位置している。
【００１４】
そのため、前記止めねじが不用意に操作されたり、ぶつかって緩むなどの虞がある。そのような場合、前記側部材に連結された回動部材の支持孔に支持された側柵に利用者が捕まったときなど、前記回動部材を含む前記側柵を支持した支持装置がベッドフレームの側部材に対してがた付いたり、ずれ動いたりする虞がある。
【００１５】
そのため、そのような場合には特許文献１と同様、利用者がベッド装置から起き上がるときや、側柵につかまって伝い歩きするときに姿勢が維持できずに不安定になるということがある。
【００１６】
しかも、前記支持装置の大部分がベッドフレームの側部材の外方に露出しているため、ベッド装置の外観を低下させたり、ベッド装置の側方を歩行したり、車椅子で近付いたときにぶつかり易いということもある。
【００１７】
この発明は、ベッドフレームの側部に支持される側柵を、がたつくことなく確実に支持することができるようにするとともに、前記側柵を支持する構造が前記ベッドフレームの幅方向外方に大きく突出して外観の低下を招いたり、邪魔になることがないようにしたベッド装置を提供することにある。
【課題を解決するための手段】
【００１８】
この発明は、ベッドフレームを有し、このベッドフレームの幅方向の端部に位置するサイド部材を介して側柵が取付けられるベッド装置であって、
ベッドフレームの幅方向と同方向である、前記サイド部材の幅方向の内面側に設けられ前記サイド部材の上面と下面にそれぞれ位置する第１の係合部を有する内側ブラケットと、
前記サイド部材の幅方向の外面側にこのサイド部材の幅方向に沿って移動可能に設けられ、前記サイド部材の上面と下面にそれぞれ位置し前記幅方向に移動することで前記第１の係合部に係合する第２の係合部、前記サイド部材の上面と下面からそれぞれ前記内側ブラケットの上面と下面に向かって延出された上下一対の延長部、及び前記サイド部材の外面側に位置する部分の上面に開口して形成された前記側柵を支持する支持部を有する外側ブラケットと、
前記サイド部材の幅方向の内面側に位置する一対の前記延長部を介して設けられその操作によって前記外側ブラケットを前記サイド部材の幅方向に駆動して前記第１の係合部に前記第２の係合部を係合させて前記外側ブラケットを前記サイド部材に移動不能に固定する操作手段と
を具備したことを特徴とするベッド装置にある。
【発明の効果】
【００１９】
この発明によれば、前記サイド部材の内面側に前記外側ブラケットを前記サイド部材に移動不能に固定する操作手段を設け、この操作手段の操作によって前記外側ブラケットを駆動してその第２の係合部を前記内側ブラケットの第１の係合部に係合させることで、前記側柵を支持する支持部を有する前記外側ブラケットを固定するようにした。
【００２０】
そのため、前記操作手段は前記サイド部材の内面側、つまり不用意にぶつかったり、手が触れることのない箇所に設けられているから、前記支持部による前記側柵の支持状態が損なわれ難いばかりか、前記外側ブラケットだけが前記ベッドフレームの側方に突出して設けられているだけであるから、外観的にも良好である。
【図面の簡単な説明】
【００２１】
【図１】図１はこの発明の一実施の形態のベッド装置を、床ユニットの一部を断面して示す平面図。
【図２】同じくベッド装置の正面図。
【図３】ベッドフレームのサイド部材に設けられた側柵取付け部の平面図。
【図４】前記サイド部材の内側に設けられる内側ブラケットと外側に設けられる外側ブラケットを示す断面図。
【図５】前記サイド部材に設けられた内側ブラケットと外側ブラケットの斜視図。
【図６】連結部材によって連結された一対の外側ブラケット、及びこれら外側ブラケットに装着されるカバーの斜視図。
【図７】一対の外側ブラケットに取付けられる側柵の正面図。
【発明を実施するための形態】
【００２２】
以下、この発明の一実施の形態を図面を参照しながら説明する。  
【００２３】
図１はベッド装置を示す平面図、図２は同じく側面図であって、前記ベッド装置はベッドフレーム１を備えている。このベッドフレーム１は所定間隔で平行に離間対向して配置された一対のサイド部材２と、これらサイド部材２の長手方向一端に連結された第１のボード体３と、他端に連結された第２のボード体４によって構成されている。
【００２４】
前記サイド部材２、前記第１のボード体３及び前記第２のボード体４によって囲まれた前記ベッドフレーム１の内部には床ユニット６が設けられている。この床ユニット６は前記サイド部材２の幅方向の内面側に、このサイド部材２と所定間隔で平行に離間対向して設けられた一対の支持部材７を備えている。各支持部材７は、長手方向の一端を前記第１のボード体３の幅方向両端部の内面に連結され、他端を前記第２のボード体４の幅方向端部の内面に連結されている。
【００２５】
図１に示すように、一対の前記支持部材７の長手方向中央部には固定床部８が設けられている。この固定床部８は、一対の前記支持部材７の長手方向の中途部に、長手方向に対して所定間隔で離間対向して架設された一対の横杆９を有する。これら一対の横杆９にはネット１１が格子状に設けられている。
【００２６】
前記固定床部８の前記第１のボード体３側に位置する一方の前記横杆９には、平面形状がＵ字状をなした背上げフレーム１３が一端を回動可能に連結して設けられている。この背上げフレーム１３にはネット１４が張設されている。
【００２７】
前記固定床部８の前記第２のボード体４側の他方の横杆９には、それぞれネット１５，１６が設けられた第１の脚フレーム１７と、第２の脚フレーム１８とが順次回動可能に連結されている。
【００２８】
前記背上げフレーム１３の先端部は、この背上げフレーム１３が水平に倒伏したときに、一対の前記支持部材７の前記第１のボード体３側の端部間に架設させた第１の横杆１９aによって支持される。
【００２９】
前記第２の脚フレーム１８の先端は、一対の前記支持部材７の前記第２のボード体４側の端部間に架設させた第２の横杆１９ｂによって水平な状態で支持される。さらに、前記第１の脚フレーム１７と前記第２の脚フレーム１８との連結部分は、一対の前記支持部材７の前記第２のボード体４側の内面に突設された一対の第３の横杆１９ｃによって水平な倒伏状態で支持される。
【００３０】
そして、一対の前記支持部材７の長手方向の両端部の下面には、図２に示すように下端にキャスタ２２ａが設けられた脚体２２が垂設されている。それによって、前記床ユニット６を備えた前記ベッドフレーム１は前記キャスタ２２ａによって移動可能に支持されている。
【００３１】
前記固定床部８の下面側にはリニアモータやシリンダなどの直線駆動源２５、この直線駆動源２５によって駆動されるリンク機構２５ａが設けられている。前記直線駆動源２５によって前記リンク機構２５ａが駆動されると、前記背上げフレーム１３が起上方向に駆動される。それに連動して前記第１の脚フレーム１７と第２の脚フレーム１８とが上方に向かって山形状に屈曲するようになっている。
【００３２】
前記床ユニット６上には図２に鎖線で示すマットレスＭが載置される。このマットレスＭは幅寸法が前記ベッドフレーム１の幅寸法、つまり一対の前記サイド部材２がなす幅寸法とほぼ同じに設定されている。
【００３３】
前記床ユニット６が前記直線駆動源２５によって駆動されると、前記マットレスＭ上に仰臥した利用者は、前記マットレスＭとともに脚部が屈曲されながら、上半身が起こされる。それによって、利用者は山形状に屈曲して起立した前記第１、第２の脚フレーム１７，１８によって臀部が前方にずれることがないよう支持された状態で上半身が起こされることになる。
【００３４】
なお、前記直線駆動源２５による前記背上げフレーム１３の駆動と、前記第１の脚フレーム１７及び前記第２の脚フレーム１８の駆動は、図示しない切換え機構によって選択することができる。つまり、前記背上げフレーム１３だけを駆動したり、第１、第２の脚フレーム１７，１８を一緒に駆動することもできる。
【００３５】
前記ベッドフレーム１の両側部の長手方向の一端部と他端部の合計４箇所（図１では１か所のみ図示）には、図７に示す側柵２０の一対の脚部２０ａを着脱可能に保持するための側柵取付け部２１が設けられている。
【００３６】
前記側柵取付け部２１は、前記サイド部材２の内面側である、前記床ユニット６の前記支持部材７の幅方向の外面に長手方向に所定間隔で設けられた一対の内側ブラケット２３を有する。図１では４か所の前記側柵取付け部２１のうち、１か所だけは全体を示し、他の３か所は一対の前記内側ブラケット２３だけを示している。
【００３７】
図３に示すように、前記内側ブラケット２３は平面形状がコ字状をなしていて、その両側辺２３ａの先端が前記支持部材７の外面に溶接などの手段によって固定され、中間辺２３ｂの上下端の両端部にはＬ字状に折り曲げられてそれぞれ前記サイド部材２の上面と下面に位置する各一対の第１の係合部２４が形成されている。前記第１の係合部２４は矩形状をなしている。  
【００３８】
なお、上下各一対の前記第１の係合部２４は、前記サイド部材２の上面と下面とで、このサイド部材２の長手方向に対して所定間隔で離間している。
【００３９】
前記サイド部材２の幅方向の外面側には、前記支持部材７に設けられた前記内側ブラケット２３と対応する位置に外側ブラケット２６が設けられている。この外側ブラケット２６は側辺２６ａと、この側辺２６ａの上下端にＬ字状に屈曲された上辺２６ｂと下辺２６ｃを有する。
【００４０】
前記外側ブラケット２６は前記上辺２６ｂと下辺２６ｃの先端部には、前記内側ブラケット２３の上下一対の前記第１の係合部２４の間隔よりもわずかに小さな幅寸法の延長部２７が突出形成されている。
【００４１】
そして、前記外側ブラケット２６は前記上辺２６ｂと下辺２６ｃとで前記サイド部材２の上下面を挟持し、かつ一対の前記延長部２７を前記サイド部材２の上下面に位置する各一対の前記第１の係合部２４間に挿通し、図３に矢印Ｘで示す前記サイド部材２の幅方向に沿って移動可能に保持されている。
【００４２】
前記外側ブラケット２６を、前記内側ブラケット２３が設けられた前記支持部材７の方向、つまり前記ベッドフレーム１の幅方向内方（図３に＋Ｘで示す方向）に向かってスライドさせると、前記外側ブラケット２６の前記上辺２６ｂと前記延長部２７、及び前記下辺２６ｃと前記延長部２７がなすそれぞれ一対の角部が前記一対の第１の係合部２４の角部に係合する。それによって、前記外側ブラケット２６は＋Ｘ方向、及び＋Ｘ方向と交差する、図Ｙで示す前記サイド部材２の長手方向に移動するのが阻止されるようになっている。
【００４３】
ここで、前記外側ブラケット２６の前記上辺２６ｂと前記延出部２７、及び前記下辺２６ｃと前記延出部２７がなすそれぞれ上下一対の角部を、前記第１の係合部２４に係合する第２の係合部２８とする。
【００４４】
前記外側ブラケット２６の上下一対の前記延長部２７は、前記サイド部材２の幅方向の内面から前記内側ブラケット２３の上下面に突出し、その突出部分、つまり前記サイド部材２の内面と前記支持部材７の外面との間に対応する部分には、図４に示すようにそれぞれ上下一対の取付け孔２９が穿設されている。
【００４５】
一対の取付け孔２９には上端に鍔３１ａを有する軸状の伝動部材３１が、前記鍔３１ａを上方の前記取付け孔２９の周辺部に係合させて挿入され、下端部を下方の取付け孔２９に挿入支持されている。
【００４６】
前記伝動部材３１の軸方向の中途部には径方向に貫通して雌ねじ３２が形成され、この雌ねじ３２にはサムスクリューなどの手掛け部３３ａを有するねじ部材３３が、前記支持部材７に形成された一対の通孔７ａを通じて螺合されている。前記支持部材７の側面と、前記手掛け部３３ａとの間にはワッシャ３２ａが設けられている。
【００４７】
前記ねじ部材３３をねじ込めば、前記伝動部材３１を介して前記外側ブラケット２６が前記内側ブラケット２３の方向、つまり図３に＋Ｘで示す方向に駆動される。それによって、前記第１の係合部２４に前記第２の係合部２８が係合してた状態で圧接するから、前記外側ブラケット２６は図３に矢印Ｙで示す前記サイド部材２の幅方向及びこの幅方向に直交する長手方向であるＸ方向に対して移動不能に保持される。
【００４８】
この実施の形態では、前記伝動部材３１と前記ねじ部材３３とで前記外側ブラケット２６を前記サイド部材２の幅方向に駆動するとともに、前記幅方向及び幅方向に交差する方向に対して移動不能に固定するための操作手段３４を構成している。前記操作手段３４は前記ベッドフレーム１の前記サイド部材２の幅方向の内面側に設けられている。
【００４９】
図３と図４に示すように、前記外側ブラケット２６の前記サイド部材２の外面側に位置する先端部分の上辺２６ｂと下辺２６ｃの先端部分には、それぞれ対応する位置に取付け孔３５穿設されている。上下一対の取付け孔３５には前記側柵２０の前記脚部２０ａを挿通支持することができる筒状部材３６が保持されている。この筒状部材３６には前記側柵２０の前記脚部２０ａが着脱可能に挿入支持される。前記筒状部材３６は前記脚部２０ａの支持部を形成している。
【００５０】
図６に示すように、前記側柵取付け部２１の一対の前記外側ブラケット２６は帯板状の連結部材４１によって連結されている。この実施の形態では、前記連結部材４１の一端部と他端部は前記外側ブラケット２６に支持された前記筒状部材３６に連結固定されている。
【００５１】
前記連結部材４１によって連結された一対の前記外側ブラケット２６は、これらに設けられた一対の前記筒状部材３６の間隔が、前記側柵２０の一対の前記脚部２０ａの間隔と同じになるよう設定されている。
【００５２】
前記側柵取付け部２１、つまり一対の前記外側ブラケット２６及びこれらを連結した前記連結部材４１は、たとえば合成樹脂などによって形成されたカバー４２によって覆われる。前記カバー４２は図３、図４及び図６に示すように背面が開放した形状をなしていて、その長手方向の両端部を一対の前記外側ブラケット２６に着脱可能に係合させて取付けられる。
【００５３】
前記カバー４２には前記外側ブラケット２６に設けられた前記筒状部材３６に対応する位置に通孔４３が形成されている。また、前記カバー４２の前面は前記サイド部材２の幅方向内方に向かって凹曲面状をなした凹部４４に形成されている。
【００５４】
このような構成のベッド装置によれば、前記ベッドフレーム１の前記サイド部材２に、前記外側ブラケット２６を介して前記側柵２０を支持するようにした。前記外側ブラケット２６は、前記操作手段３４の前記ねじ部材３３を回転操作することで、前記サイド部材２に対して前記内側ブラケット２３を介して移動不能に保持固定できる。
【００５５】
前記操作手段３４は前記サイド部材２の幅方向の内面側に設けられている。しかも、前記外側ブラケット２６を駆動するための前記操作手段３４の前記ねじ部材３３は、その手掛け部３３ａが前記サイド部材２の幅方向内方に位置する、前記床ユニット６の支持部材７の幅方向の内面側に突出している。
【００５６】
そのため、前記操作手段３４によって前記外側ブラケット２６が前記サイド部材２に固定された状態において、利用者や介護者がベッド装置の側方を歩いたり、車椅子で移動するなどした際に、前記サイド部材２の幅方向内方に位置する前記ねじ部材３３の手掛け部３３ａにぶつかったり、不用意に操作するなどのことが防止される。つまり、前記外側ブラケット２６の前記サイド部材２に対する固定状態が不用意に損なわれることが防止される。
【００５７】
前記操作手段３４による前記側柵２０の固定状態が不用意に損なわれることがないため、ベッド装置の利用者が前記側柵２０をつかんで立ち上がったり、前記側柵２０をつかんだ状態で伝い歩きするような場合、前記側柵２０が前記サイド部材２に対してがた付き、利用者に不安感を与えるのを防止することができる。
【００５８】
前記側柵取付け部２１の、前記連結部材４１によって連結された一対の前記外側ブラケット２６は、前記カバー４２によって覆われている。そのため、前記連結部材４１や前記外側ブラケット２６が外部に露出しないため、前記側柵取付け部２１によってベッド装置の外観が損なわれるのが防止される。
【００５９】
前記カバー４２の前面が曲面状の前記凹部４４に形成されている。そのため、前記側柵取付け部２１から前記側柵２０を取り外してベッド装置に仰臥した利用者を介護などの世話する場合、介護者は前記凹部４４を利用して仰臥した利用者に近づくことができるから、介護などの世話を容易に行うことができる。
【００６０】
また、ベッド装置の利用者が車椅子を利用している場合などには、前記車椅子を前記カバー４２の前記凹部４４のところから、ベッド装置に近付け易いから、ベッド装置への乗り降りなどが前記側柵取付け部２１によって大きく損なわれることなく行える。
【００６１】
前記ベッドフレーム１に前記側柵２０を設ける必要がない場合には、前記側柵取付け部２１を前記ベッドフレーム１から取り外すことができる。  
【００６２】
つまり、前記操作手段３４の前記ねじ部材３３を前記伝動部材３１から外した後、前記外側ブラケット２６の一対の延長部２７の一対の取付け孔２９に挿入支持された前記伝動部材３１を上方に引き上げて前記延長部２７から取り外せば、前記サイド部材２に上辺２６ｂと下辺２６ｃを係合させて保持された前記外側ブラケット２６を前記ベッドフレーム１から取り外すことができる。
【００６３】
つまり、前記連結部材４１によって連結された前記側柵取付け部２１を構成する一対の外側ブラケット２６を前記ベッドフレーム１から取り外すことができるから、前記側柵２０を必要としない場合、前記外側ブラケット２６が邪魔になるようなことがない。
【００６４】
なお、前記内側ブラケット２３は前記サイド部材２の内面側に設けられているから、前記外側ブラケット２６を取り外したときに、外部に露出して邪魔になったり、ベッド装置の外観を損なうということがない。
【００６５】
一対の前記外側ブラケット２６は前記連結部材４１によって所定の間隔、つまり前記ベッドフレーム１の前記サイド部材２の内面側に設けられた一対の前記内側ブラケット２３と対応する間隔で連結されている。つまり、一対の前記外側ブラケット２６はあらかじめ所定の間隔に位置決めされている。
【００６６】
そのため、一対の前記外側ブラケット２６を、一対の前記内側ブラケット２３に対して取付ける作業を容易に、しかも迅速に行うことができる。
【００６７】
前記外側ブラケット２６は、前記伝動部材３１から前記ねじ部材３３を取り外した状態で、前記伝動部材３１を着脱することで、前記内側ブラケット２３に対して取付けたり、取外すことができる。
【００６８】
そのため、そのことによっても、前記内側ブラケット２３に対する前記外側ブラケット２６の着脱を容易かつ迅速に行うことができる。
【００６９】
この発明は上述した実施の形態に限定されるものでなく、発明の要旨を逸脱しない範囲で種々変形可能である。  
【００７０】
たとえば、上述した実施の形態ではベッドフレーム１のサイド部材２に外側ブラケット２６を移動可能に設けるようにしたが、内側ブラケット２３を操作手段３４によって駆動できるようにし、前記外側ブラケット２６を前記サイド部材２に着脱可能に設け、前記内側ブラケット２３を前記操作手段３４によって駆動して前記外側ブラケット２６を前記サイド部材２に移動不能に固定できる構成であってもよい。
【００７１】
また、前記内側ブラケット２３を前記ベッドフレーム１の内部に設けられる前記床ユニット６の支持部材７に設けるようにしたが、前記ベッドフレーム１の前記サイド部材２の内面に直接、設けるようにしてもよい。
【符号の説明】
【００７２】
１…ベッドフレーム、２…サイド部材、６…床ユニット、２０…側柵、２１…側柵取付け部、２３…内側ブラケット、２４…第１の係合部、２６…外側ブラケット、２７…延長部、２８…第２の係合部、３１…伝動部材、３３…ねじ部材、３４…操作手段、３６…筒状部材（支持部）、４１…連結部材、４２…カバー、４４…凹部。
【図１】
2019208948.tif 000003
【図２】
2019208948.tif 000004
【図３】
2019208948.tif 000005
【図４】
2019208948.tif 000006
【図５】
2019208948.tif 000007
【図６】
2019208948.tif 000008
【図７】
2019208948.tif 000009